(57)【要約】【課題】施工期間を大幅に短縮することができる橋梁の施工方法を提供する。【解決手段】基礎部１５ａ、１５ｂ、６０、６６上に橋脚本体２５ｂの強度部材となる複数の鋼管柱２６を立上げ、該鋼管柱２６の上端部に主桁ユニット４１ｄを搭載して橋桁４０を構築すると共に、該橋桁４０と前記複数の鋼管柱２６とを一体に仮固定して仮設の橋脚を構成し、前記鋼管柱２６にコンクリート２７を巻く前記橋脚本体２５ｂの構築と、前記橋桁４０上に床版５６を搭載して行う橋面工５５の構築を並行して行うようにした。橋脚本体２５ｂの構築と橋面工５５の構築を並行して行うことにより、橋梁の施工期間を大幅に短縮することができる。【選択図】  図１２
2005036468.tif 000002
【特許請求の範囲】
【請求項１】
地盤中に構築された基礎部に支持される橋脚本体と、前記橋脚本体に支持される橋桁と、前記橋桁上に構築された橋面工と、を有する橋梁を施工する際に、
前記基礎部に、鋼管柱を立設して橋脚本体の構築を開始し、
前記前記橋脚本体を構築しつつ、前記鋼管柱上に前記橋桁を搭載して前記橋面工の構築を開始し、
前記橋脚本体と前記橋面工の構築を同時並行的に行う、
ことを特徴とする、橋梁の施工方法。
【請求項２】
前記基礎部に、鋼管柱を立設して橋脚本体の構築を開始し、
前記鋼管柱が所定数立設されたところで、前記立設された鋼管柱上に橋桁を搭載し、
その後、前記鋼管柱にコンクリートを巻くと共に、前記搭載された橋桁上に床版を搭載するようにして構成した、請求項１記載の橋梁の施工方法。
【請求項３】
前記基礎部に、鋼管柱を立設して橋脚本体の構築を開始し、
前記鋼管柱が所定数立設されたところで、それら鋼管柱の高さ方向の途中までコンクリートを巻き、
次いで、前記高さ方向の途中までコンクリートが巻かれた鋼管柱上に橋桁を搭載し、
次いで、前記高さ方向の途中までコンクリートが巻かれた鋼管柱上に、該鋼管柱上に搭載された橋桁部分まで達する形で更にコンクリートを巻くと共に、前記搭載された橋桁上に床版を構築するようにして構成した、請求項１記載の橋梁の施工方法。
【請求項４】
前記基礎部は、地盤中に設置された複数の支持杭を有しており、
前記鋼管柱は、前記支持杭の内の少なくとも一つの支持杭に直接接続する形で立設するように構成した、請求項１記載の橋梁の施工方法。
【発明の詳細な説明】
【０００１】
【発明の属する技術分野】
本発明は、橋梁の施工方法に関する。
【０００２】
【従来の技術】
例えば、既存の平面交差点を立体交差化する場合、その橋梁は、地盤に形成された基礎部と、該基礎部の上部に形成されたフーチングと、該フーチング上に立設された橋脚本体と、該橋脚本体の上端部に形成される横桁と、該横桁に据え付けられた支承と、該支承に架設された上部工（橋桁）と、該上部工の上に形成された橋面工（路面）とにより構成される。
【０００３】
このような橋梁の施工は、基礎部の構築、フーチングの構築、橋脚本体の構築、横桁の構築、支承の設置、橋桁の架設、橋面工の構築を順次施工しなければならず、施工期間が長期化している。特に、コンクリートの打設を伴う基礎部、フーチング、橋却本体等の施工では、鉄筋の配筋作業、型枠の着脱作業、打設したコンクリートの養生等を繰り返して行うことが必要であり、また、都市部等では施工時間の制限等もあり、施工期間が１〜２年程度の長期間を要していた。
【０００４】
橋脚の施工方法として、フーチング上に鋼管柱を立設すると共に、橋脚本体の外形形状と同じ形状、大きさに形成されたプレキャスト管（型枠）を、前記鋼管柱を囲む形で設置し、前記鋼管柱とプレキャスト管の間にコンクリートを打設して橋脚本体を構築するようにしたものがある（例えば、特許文献１参照）。このような橋脚の施工方法によれば、橋脚本体の構築工程における煩雑な配筋作業や型枠の着脱作業を簡略化して橋脚本体の施工期間を短縮することができる。
【０００５】
【特許文献１】
特開２０００−１０４２２５号公報  （第４頁  図４、図５）
【０００６】
【発明が解決しようとする課題】
しかし、このような施工方法を採用しても、橋梁の施工工程は従来と同様に、基礎部の構築、フーチングの構築、橋脚本体の構築、横桁の構築、支承の設置、橋桁の架設、橋面工の構築を順次施工する必要があり、橋梁の施工期間の大幅な短縮を望むことができない。また、施工期間の長期化に伴う経済的損失は莫大なものになっていた。
【０００７】
上記の事情に鑑み、本発明は、橋梁の施工期間の大幅な短縮を可能にする橋梁の施工方法を提供することを目的とする。
【０００８】
【課題を解決するための手段】
前記の目的を達成するため、請求項１に係る発明は、地盤（１０）中に構築された基礎部（１５ａ、１５ｂ、６０、６６）に支持される橋脚本体（２５ａ、２５ｂ）と、前記橋脚本体（２５ａ、２５ｂ）に支持される橋桁（４０）と、前記橋桁（４０）上に構築された橋面工（５５）と、を有する橋梁（５）を施工する際に、
前記基礎部（１５ａ、１５ｂ、６０、６６）に、鋼管柱（２６）を立設して橋脚本体（２５ａ、２５ｂ）の構築を開始し、
前記前記橋脚本体（２５ａ、２５ｂ）を構築しつつ、前記鋼管柱（２６）上に前記橋桁（４０）を搭載して前記橋面工（５５）の構築を開始し、
前記橋脚本体（２５ａ、２５ｂ）と前記橋面工（５５）の構築を同時並行的に行うようにした。
【０００９】
請求項２に係る発明は、前記基礎部（１５ａ、１５ｂ、６０、６６）に、鋼管柱（２６）を立設して橋脚本体の構築を開始し、
前記鋼管柱（２６）が所定数立設されたところで、前記立設された鋼管柱（２６）上に橋桁（４０）を搭載し、
その後、前記鋼管柱（２６）にコンクリート（２７）を巻くと共に、前記搭載された橋桁（４０）上に床版（５６）を搭載するようにして構成した。
【００１０】
請求項３に係る発明は、前記基礎部（１５ａ、１５ｂ、６０、６６）に、鋼管柱（２６）を立設して橋脚本体（２５ａ、２５ｂ）の構築を開始し、
前記鋼管柱（２６）が所定数立設されたところで、それら鋼管柱（２６）の高さ方向の途中までコンクリート（２７）を巻き、
次いで、前記高さ方向に途中までコンクリート（２７）が巻かれた鋼管柱（２６）上に橋桁（４０）を搭載し
次いで、前記高さ方向の途中までコンクリートが巻かれた鋼管柱（２６）に、該鋼管柱（２６）上に搭載された橋桁（４０）部分まで達する形で更にコンクリート（２７）を巻くと共に、前記搭載された橋桁（４０）上に床版（５６）を搭載するようにして構成した。
【００１１】
請求項４に係る発明は、前記基礎部（１５ａ、１５ｂ）は、地盤（１０）中に設置された複数の支持杭を有しており、
前記鋼管柱（２６）は、前記支持杭のうちの少なくとも一つの支持杭に直接接続する形で立設するようにして構成した。
【００１２】
なお、括弧内の符号等は、図面と対照するためのものであり、これは、発明の理解を容易にするための便宜的なものであって、特許請求の範囲に何等影響を及ぼすものではない。
【００１３】
【発明の効果】
以上述べたように、請求項１に係る発明によれば、橋脚本体と橋面工の構築とをそれぞれ同時並行的に施工するようにしたので、これらの工程を順次施工する場合に比べ、橋梁の施工期間を大幅に短縮することができる。
【００１４】
請求項２に係る発明によれば、橋脚本体を構成する所要数の鋼管を立設した後橋桁を搭載し、その後、橋脚本体の鋼管柱に対するコンクリート巻きと橋桁に対する床版の搭載を行うことにより橋脚本体の構築と橋面工の構築を同時並行的に施工することができる。また、これらの工程を順次施工する場合に比べ、橋梁の施工期間を大幅に短縮することができる。
【００１５】
請求項３に係る発明によれば、鋼管柱の高さ方向の途中までコンクリートを巻いて橋脚を構築した状態で、鋼管柱の上に橋桁を搭載し、その後、鋼管柱に対する更なるコンクリートまきと橋桁に対する床版の搭載を行うことにより、橋脚の構築と橋面工の構築を同時並行的に行うことができる。これにより、構築する橋梁の高さが高くなっても、橋脚本体の構築と橋面工の構築を同時並行的に行うことができ、これらの工程を順次施工する場合に比べ、橋梁の施工期間を短縮することができる。
【００１６】
請求項４に係る発明によれば、鋼管柱を基礎部に直接接続して立設するようにしたので、フーチング等を構築する必要がなく、橋梁の施工期間を更に短縮することができる。
【００１７】
【発明の実施の形態】
以下、本発明の実施の形態を図面に基づいて説明する。
【００１８】
図１乃至図１３は、本発明の実施の形態の一例を示すもので、図１は、一般道の立体交差部の一例を示す平面図、図２は、図１の橋梁部分の構成の一例を示す側面図、図３は、図２のＥ−Ｅ断面図、図４は、図３のＣ−Ｃ断面図、図５は、図３のＢ−Ｂ断面図、図６は、図３のＡ−Ａ断面図、図７は、図６のＤ−Ｄ断面図、図８は、図２のＦ−Ｆ断面図、図９は、図８のＧ−Ｇ断面図、図１０は、本発明の橋梁の施工方法における基礎部の構築と鋼管柱の立上げ工程の一例を示す工程図、図１１は、本発明の橋梁の施工方法における上部工の架設工程の一例を示す工程図、図１２は、本発明の橋梁の施工方法における橋脚本体と橋面工の構築工程の一例を示す工程図、図１３は、本発明により構築された橋梁の一例を示す断面図である。
【００１９】
図１及び図２に示すように、道路１と道路２とが交差した平面交差点３を立体交差化する場合には、一方の道路１（又は、道路２）に前記平面交差点３を跨ぐ橋梁５が配置され、前記橋梁５の両端には、盛土等で形成され、橋梁５と前記道路１とを接続するための取付け道路６、６（図１、図２で格子状のハッチングを施した部分）が接続される。そして、道路１を直進する車両は、道路１から取付け道路６、橋梁５及び反対側の取付け道路６を通り道路１へ戻ることにより平面交差点３内を通過することなく平面交差点３を越えることができる。
【００２０】
前記橋梁５の施工方法を説明する前に前記橋梁５の構造の一例を、図２ないし図９を参照しながら説明する。
【００２１】
図２に示すように、前記橋梁５は、それぞれ所定の位置Ａ１、Ｐ１、Ｐ２、Ｐ３、Ｐ４、Ａ２の地盤１０中に構築された複数の基礎部１５ａ、１５ｂ、１５ｂ、１５ｂ、１５ｂ、１５ａと、前記基礎部１５ｂ、１５ｂ、１５ｂ、１５ｂの上に構築された橋脚２５ａ、２５ｂ、２５ｂ、２５ａと、前記基礎部１５ａ、１５ａの上に構築された橋台３５、３５と、前記橋脚２５ａ、２５ｂ、２５ｂ、２５ａと橋台３５、３５とに支持された橋桁４０（上部工）と、該橋桁４０上に構築された橋面工５５とを有している。
【００２２】
前記基礎部１５ｂは、図２、図３及び図４に示すように、打ち込む長さの異なる複数の鋼管矢板１６、１７を矩形の井筒状に配置して構成される。なお、前記鋼管矢板１６、１７は、それぞれ支持杭を構成する。また、本実施の形態では、図４に示すように、前記鋼管矢板１６、１７を紙面の左右方向に４本ずつ、紙面の上下方向に３本ずつ（計１０本）配列して矩形の井筒を構成している。
【００２３】
一方、前記基礎部１５ａは、４本の前記鋼管矢板１６、１７、１７、１６を、図２の紙面の前後方向に１列に配置した構成になっている。
【００２４】
前記基礎部１５ａの両端に位置する２本の前記鋼管矢板１６、１６及び前記基礎部１５ｂを構成する矩形の井筒の４隅に位置する４本の前記鋼管矢板１６、・・、１６は、図２、図３に示すように、前記地盤１０の地表面ＧＬから沖積粘性土層１１を貫通し前記橋梁５の支持層となる沖積砂礫層１２に達する深さまで打ち込まれている。また、前記基礎部１５ａの中間に位置する２本の前記鋼管矢板１７、１７及び、前記基礎部１５ｂを構成する矩形の各辺の中央部に位置する６本の前記鋼管矢板１７、・・、１７は、前記沖積粘性土層１１の中間部まで打ち込まれている。
【００２５】
図３に示すように、前記各鋼管矢板１６、１７の上端部には、中詰コンクリート１９が打設されている。前記中詰コンクリート１９の打設深さＬ７は、３ｍ程度とすることができる。
【００２６】
図４に示すように、矩形の井筒状に打ち込まれた１０本の前記鋼管矢板１６、１７で構成される基礎部１５ｂの頭頂部（地盤１０の地表面ＧＬ側端部）には、図３に示すように、頂版コンクリート２０が打設され、１０本の前記鋼管矢板１６、１７を一体化している。前記頂版コンクリート２０の厚さＬ１５は、１．５ｍ程度とすることができる。なお、４本の前記鋼管矢板１６、１７、１７、１６を一列に配列した前記基礎部１５ａは、前記鋼管矢板１６、１７、１７、１６の頭頂部に直接前記橋台３５を形成するため、頂版コンクリートを打設する必要はない。
【００２７】
前記基礎部１５ｂ上に構築される橋脚本体２５ａ、２５ｂ（図２参照）は、図３、図５に示すように、前記基礎部１５ｂを構成する矩形の井筒の４隅に配置された前記鋼管矢板１６に直接接続され立設された複数本（本実施の形態では４本）の鋼管柱２６と、前記複数本（本実施の形態では２本）の前記鋼管柱２６を一体化するコンクリート２７で構成されている。従って、本実施の形態では、図２の位置Ｐ１、Ｐ２、Ｐ３、Ｐ４に、それぞれ２本の前記橋脚本体２５ａ、２５ａ、橋脚本体２５ｂ、２５ｂが形成される。
【００２８】
図２に示すように、前記基礎部１５ａの上には、前記鋼管矢板１６、１６に直接接続された２本の鋼管柱（図示せず）が立設され、これら２本の鋼管柱を一体化する形で橋台３５、３５（図２参照）が構築される。
【００２９】
図２、図３に示すように、前記鋼管柱２６を、前記橋梁５（図２参照）の支持層となる前記沖積砂礫層１２まで打ち込まれた前記鋼管矢板１６に直接接続して立設することにより、前記基礎部１５ａ、１５ｂ、橋脚本体２５ａ、２５ｂ及び橋台３５を確実に支持することができる。
【００３０】
前記鋼管柱２６は、例えば、外面リブ付鋼管で形成することができる。また、前記橋脚本体２５ａ、２５ｂの高さが高くなる場合には、所定の長さの複数本の前記外面リブ付鋼管を継ぎ足して前記鋼管柱２６を構成することができる。
【００３１】
前記基礎部１５ａ、１５ｂに立設する前記鋼管柱２６は、所要の強度が得られる大きさ（直径及び板厚）の１本の鋼管柱２６であってもよいし、本実施の形態のように２本以上の鋼管柱２６で構成してもよい。また、本実施の形態では、図２の位置Ｐ１、Ｐ２、Ｐ３、Ｐ４にそれぞれ２本ずつの橋脚本体２５ａ、２５ａ、橋脚本体２５ｂ、２５ｂを形成する場合について示しているが、前記各位置Ｐ１、Ｐ２、Ｐ３、Ｐ４に、それぞれ４本ずつ立設された前記鋼管柱２６を、それぞれ１本の橋脚本体２５ａ、橋脚本体２５ｂとして一体化する形で構築してもよい。
【００３２】
図３に示すように、前記橋脚本体２５ａ、２５ｂに配置された前記鋼管柱２６の下端部と上端部には、それぞれ中詰コンクリート２９、３０が打設されている。前記鋼管柱２６の下端部に打設される中詰コンクリート２９の打設深さＬ１０は、１．５ｍ程度とすることができる。また、前記鋼管柱２６の上端部に打設される中詰コンクリート３０の打設深さＬ１１は、３ｍ程度とすることができる。なお、図２に示す基礎部１５ａに立設された鋼管柱（図示せず）には、その全長に亘って中詰コンクリート（図示せず）が打設される。
【００３３】
図３に示すように、前記基礎部１５ｂの前記鋼管矢板１６の上端部の中詰コンクリート１９と前記鋼管矢板１６に接続された前記鋼管柱２６の下端部の中詰コンクリート２９とは、前記鋼管矢板１６に前記鋼管柱２６を接続した後、同時に打設して一体の中詰コンクリート３１を形成するようにしてもよい。前記中詰コンクリート１９と中詰コンクリート２９とを、一体の中詰コンクリート３１とすることにより、前記鋼管矢板１６と鋼管柱２６の接続部の座屈強度を向上させることができる。
【００３４】
図３に示すように、前記橋脚本体２５ｂの下端部は、前記地盤１０中に埋設された形となっている。そして、前記橋脚本体２５ｂが地盤１０に埋設される深さＬ１６は、０．３ｍ程度とすることができる。
【００３５】
図３、図６及び図７に示すように、前記橋桁４０（図２参照）の一部を構成する主桁ユニット４１ｄ（主桁ユニット４１ｂ、４１ｃ、４１ｅも同様）は、それぞれ鋼材で形成された複数の主桁４２と、該主桁４２に一体に固定され、前記鋼管柱２６に外嵌される複数（本実施の形態では４個）の鋼管キャップ４３と、前記複数の主桁４２を一体に接続する一対の横桁４５、４５と、前記主桁４２と並行に配置され、前記横桁４５、４５を接続する枠体４６とにより構成されている。なお、図７は、図６に示す鋼管柱２６を省略した形で示してある。
【００３６】
なお、前記主桁ユニット４１ｄ（主桁ユニット４１ｂ、４１ｃ、４１ｅも同様）を図２の位置Ｐ３（位置Ｐ１、Ｐ２、Ｐ４）に立設された前記鋼管柱２６上に、前記鋼管キャップ４３を外嵌する形で搭載したとき、前記鋼管柱２６、主桁４２、横桁４５及び枠体４６で囲まれる空間が、コンクリート打設空間４７となる。そして、前記主桁４２、横桁４５及び枠体４６の前記コンクリート打設空間４７を構成する内側面には、複数のスタッドジベル４９が配置されている。
【００３７】
前記鋼管キャップ４３は、図７に示すように、前記鋼管柱２６に外嵌する鋼管４３ａと、該鋼管４３ａの上端を閉塞する蓋４３ｂとにより構成され、前記鋼管４３ａの周面には、前記コンクリート打設空間４７に打設されるコンクリート５０（図３参照）の骨材の最大外径より大きな寸法を有する複数の貫通穴４３ｃが放射状に形成されている。
【００３８】
そして、前記コンクリート打設空間４７に打設されたコンクリート５０（図３参照）は、前記主桁４２、鋼管キャップ４３、横桁４５及び枠体４６で囲まれた空間に充填されると共に、前記鋼管キャップ４３の貫通穴４３ｃを通り前記鋼管柱２６と鋼管キャップ４３の間に充填される。即ち、前記コンクリート５０を介して前記鋼管柱２６と主桁４２が一体化される。
【００３９】
前記橋桁４０（図２参照）の両端部を構成する主桁ユニット４１ａ（主桁ユニット４１ｆも同様）は、図８、図９に示すように、それぞれ鋼材で形成された複数の主桁４２と、該主桁４２に一体に固定され、前記鋼管柱２６に外嵌される複数（本実施の形態では２個）の鋼管キャップ４３（構成は前記鋼管キャップ４３と同じであるので説明を省略する）と、前記複数の主桁４２を一体に接続する一対の横桁４５、４５と、前記主桁４２と並行に配置され、前記横桁４５、４５を接続する枠体４６とにより構成されている。なお、図９は、図８に示す鋼管柱２６を省略した形で示してある。
【００４０】
なお、前記主桁ユニット４１ａ、４１ｆの場合も、前記主桁ユニット４１ｄと同様に、図２の位置Ａ１、Ａ２に立設された前記鋼管柱２６上に前記鋼管キャップ４３を外嵌する状態で搭載した時、前記鋼管柱２６、主桁４２、横桁４５及び枠体４６で囲まれる空間がコンクリート打設空間４７となる。そして、前記主桁４２、横桁４５および枠体４６の前記コンクリート打設空間４７を構成する内側面には、複数のスタッドジベル４９が配置されている。
【００４１】
そして、前記コンクリート打設空間４７に打設されたコンクリート（図示せず）は、前記主桁４２、鋼管キャップ４３、横桁４５及び枠体４６で囲まれた空間に充填されると共に、前記鋼管キャップ４３の貫通穴４３ｃを通り、前記鋼管柱２６と鋼管キャップ４３の間に充填される。即ち、前記コンクリートを介して前記鋼管柱と主桁４２が一体化される。
【００４２】
図３、図４に示すように、前記基礎部１５ｂを構成する前記鋼管矢板１６、１７は、例えば，鋼管部１６ａ、１７ａの直径Ｄ１が１ｍ（板厚１０ｍｍ）、隣接する前記鋼管部１６ａ、１７ａを接続する継ぎ手部１６ｂ、１７ｂの長さＬ１が（接続した状態で）０．２４８ｍのものを用いることができる。従って、図４に示すように、３本の前記鋼管矢板１６、１７、１６を並べて打ち込んだとき、両端に位置する前記鋼管矢板１６、１６の軸間の距離Ｌ２は、２．４９６ｍとなり、４本の前記鋼管矢板１６、１７、１７、１６を並べて打ち込んだとき、両端に位置する前記鋼管矢板１６、１６の軸間の距離Ｌ３は、３．３７４４ｍとなる。なお、前記橋脚本体２５ａ、２５ｂの前記基礎部１５ｂとして要求される強度に合せ前記鋼管矢板１６、１７の数を増減することができる。
【００４３】
図３に示すように、前記橋脚本体２５ａ、２５ｂの前記鋼管柱２６は、本実施の形態では前記鋼管矢板１６と同じ直径Ｄ１（１ｍ）を有し、その長さＬ８は、前記橋梁５（図２参照）が完成したときに、前記橋梁５のそれぞれの位置Ｐ１、Ｐ２、Ｐ３、Ｐ４で地盤１０の地表面ＧＬから前記橋桁４０（図２参照）の下面までの所要の高さＬ９（例えば、図３の場合は５ｍ）を確保できるものを用いる。本実施の形態では、前記鋼管柱２６の長さＬ８を、例えば、７ｍとすることができる。
【００４４】
前記橋台３５、３５（図２参照）の前記鋼管柱２６は、図８に示すように、前記鋼管矢板１６と同じ直径Ｄ１を有し、その長さは、前記主桁ユニット４１ａ（４１ｆ）を確実に支持し得る長さ（例えば、２ｍ）とする。
【００４５】
前記主桁ユニット４１ｄ（４１ｂ、４１ｃ、４１ｅも同様）の前記主桁４２は、図７に示すように、例えば、高さＬ１２が、２．５ｍのＨ型鋼材が用いられる。また、前記横桁４５及び枠体４６は、例えば板厚２０ｍｍの鋼鈑で形成されている。そして、図６に示すように、前記横桁４５は、前記鋼管キャップ４３を挟んで相対向するように前記主桁４２に固定されている。前記横桁４５、４５の間隔Ｌ１３は、例えば、４．５ｍとすることができる。
【００４６】
なお、図８、図９に示すように、前記主桁ユニット４１ａ、４１ｆも、前記主桁ユニット４１ｄ（図６、図７参照）を長手方向に２分割した構成である他は、前記主桁ユニット４１ｄと同様の構成である。従って、前記横桁４５、４５の間隔Ｌ１３は、例えば２．２５ｍとなる。
【００４７】
また、図６ないし図９に示すように、前記主桁ユニット４１ｄ（４１ａ、４１ｂ、４１ｃ、４１ｅ、４１ｆも同様）に配置される前記鋼管キャップ４３は、例えば、直径Ｄ２が、１．２ｍ、長さＬ１４が、２ｍ程度とすることができる。
【００４８】
前記のような構成の橋梁５の施工方法の一例を、図１０ないし図１３を参照しながら説明する。
【００４９】
まず、地盤１０に、支持杭となる鋼管矢板１６、１７を打ち込んで基礎部１５ａ、１５ｂを構築するのと並行して、該基礎部１５ａ、１５ｂ上に橋脚本体２５ａ、２５ｂの構築を開始する。
【００５０】
図２の位置Ａ１、Ｐ１、Ｐ２、Ｐ３、Ｐ４、Ａ２に、それぞれ前記鋼管矢板１６、１７を打ち込み前記基礎部１５ａ、１５ｂを構築する。例えば、前記基礎部１５ｂは、図１０に示すように、位置Ａから時計回りに位置Ｂ、Ｃ、・・、Ｊの順で前記鋼管矢板１６、１７の打ち込みを行う。
【００５１】
なお、図１０の前記位置Ｂ、Ｅ、Ｇ、Ｊに打ち込まれる前記鋼管矢板１６の打ち込み深さは、図３に示すように、地盤１０の地表面ＧＬから沖積粘性土層１１を貫通し沖積砂礫層１２に深さＬ４が１ｍ程度侵入する深さとし、例えば、前記沖積粘性土層１１の深さが４０ｍの場合には、前記鋼管矢板１６の打ち込み深さＬ５を４１ｍとすることができる。
【００５２】
一方、図１０の位置Ａ、Ｃ、Ｄ、Ｆ、Ｈ、Ｉに打ち込まれる前記鋼管矢板１７は、前記鋼管矢板１６の略半分の長さのものを用いることができ、図３に示すように、その打ち込み深さＬ６を２０ｍ程度とすることができる。
【００５３】
前記位置Ａから位置Ｃまでの前記鋼管矢板１７、１６、１７の打ち込みが終わり、前記位置Ｄに前記鋼管矢板１７を打ち込む間に、前記位置Ｂに打ち込まれた前記鋼管矢板１６の上端部に、溶接等により前記鋼管柱２６を直接接続して立設する。以下、同様に、前記位置Ｄから位置Ｆまでの前記鋼管矢板１７、１６、１７の打ち込みが終わり、前記位置Ｇに前記鋼管矢板１６を打ち込む間に、前記位置Ｅに打ち込まれた前記鋼管矢板１６の上端部に、前記鋼管柱２６を立設する。また、前記位置Ｇ、位置Ｈの前記鋼管矢板１６、１７の打ち込みが終わり、前記位置Ｉに前記鋼管矢板１７を打ち込んでいる間に、前記位置Ｇに打ち込まれた前記鋼管矢板１６の上端部に、前記鋼管柱２６を立設する。さらに、前記位置Ｊに前記鋼管矢板１６を打ち込んだ後、前記位置Ｊに打ち込まれた前記鋼管矢板１６の上端部に、前記鋼管柱２６を立設する。
【００５４】
このようにして、前記基礎部１５ｂを構成する矩形の井筒の４隅（前記基礎部１５ａの場合は、例えば、図１０の位置Ｂから位置Ｅまでの１列の両端）に打ち込まれた前記鋼管矢板１６の上端部に４本（前記基礎部１５ａの場合は２本）の前記鋼管柱２６を立設して、橋脚本体２５ａ、２５ｂの構築を開始する。
【００５５】
図１１に示すように、前記鋼管矢板１７の上端部に中詰コンクリート１９を打設すると共に、前記鋼管矢板１６の上端部と前記鋼管柱２６の下端部に一体の中詰コンクリート３１を打設し、前記鋼管柱２６の上端部に中詰コンクリート３０を打設する。前記のように、前記鋼管矢板１６の上端部と前記鋼管柱２６の下端部に一体の中詰コンクリート３１を打設することにより、前記鋼管矢板１６と鋼管柱２６の接続部の座屈強度を向上させることができる。
【００５６】
前述のように、前記鋼管矢板１６、１７の打ち込みによる基礎部１５ａ、１５ｂの構築と、前記鋼管柱２６の立設による橋脚本体２５ａ、２５ｂの構築を同時並行的に行うことにより、橋脚本体２５ａ、２５ｂの施工期間を短縮することができる。
【００５７】
ついで、図２の前記各位置Ａ１、Ｐ１、Ｐ２、Ｐ３、Ｐ４、Ａ２に立設された鋼管柱２６上に、前記主桁ユニット４１ａ、４１ｂ、４１ｃ、４１ｄ、４１ｅ、４１ｆを搭載し、橋桁４０を構築する。
【００５８】
前記鋼管柱２６の上端部の中詰コンクリート３０の打設が終了した後、図１１に示すように、前記基礎部１５ｂに立設された前記鋼管柱２６の上端部に、前記鋼管キャップ４３を外嵌する形で、前記主桁ユニット４１ｄを搭載する。同様に、図２に示すように、位置Ａ１、Ｐ１、Ｐ２、Ｐ４、Ａ２に立設された前記鋼管柱２６にも、それぞれ対応する前記主桁ユニット４１ａ、４１ｂ、４１ｃ、４１ｅ、４１ｆを搭載する。
【００５９】
そして、隣接する前記主桁ユニット４１ａと４１ｂ、前記主桁ユニット４１ｂと４１ｃ、・・、前記主桁ユニット４１ｅと４１ｆの前記主桁４２をボルト等で接続し、橋桁４０を構築する。なお、前記主桁ユニット４１ａと４１ｂ、前記主桁ユニット４１ｂと４１ｃ、・・、前記主桁ユニット４１ｅと４１ｆの間に、別途形成された主桁（図示せず）を配置して橋桁４０を構成するようにしてもよい。
【００６０】
前記橋桁４０が構築された状態で、前記橋桁４０（即ち、前記主桁ユニット４１ａ、・・、４１ｆの主桁４２）と前記鋼管柱２６とを、例えば、溶接等で接続して仮固定し、仮設の橋脚とする。この状態では、橋脚本体２５ａ、２５ｂの強度部材である前記複数本の鋼管柱２６が、その下端部を前記基礎部１５ｂ（又は１５ａ）で一体に連結され、その上端部が前記橋桁４０（即ち、前記主桁ユニット４１ａ、・・、４１ｆ）で一体に連結されているので、仮設の橋脚として必要な強度を発揮する。
【００６１】
ついで、橋脚本体２５ａ、２５ｂの構築と並行して、橋台３５、３５の構築及び橋面工５５の構築を行う。
【００６２】
図２の位置Ｐ１、Ｐ２、Ｐ３、Ｐ４に構築された前記基礎部１５ｂの前記鋼管矢板１６、１７で形成された矩形の井筒（図４参照）の内側と外側を所要の深さまで掘り下げ、掘られた穴の内部から上方に向けて立ち上がる鉄筋（図示せず）を配置すると共に、該鉄筋を型枠（図示せず）で囲み、コンクリートを打設して、図１１に示すように、前記基礎部１５ｂの頂版コンクリート２０を形成し、前記鋼管矢板１６、１７の上端部を一体化する。
【００６３】
図１２に示すように、前記頂版コンクリート２０から立ち上がる鉄筋（図示せず）に接続する形で、それぞれ２本（図面の前後方向の２本）の前記鋼管柱２６を囲むように鉄筋３２を配置すると共に、該鉄筋３２を型枠（図示せず）で囲いコンクリート２７を打設して、橋脚本体２５ａ、２５ｂを構築する。このとき、前記型枠として、プレキャスト型枠を用いることにより、配筋作業や型枠の取付け作業を軽減して、施工期間を短縮することができる。
【００６４】
また、前記橋脚本体２５ａ、２５ｂの構築と並行して、図２の位置Ａ１、Ａ２に構築された前記基礎部１５ａ、１５ａの１列に打ち込まれた前記鋼管矢板１６、１７の上端部には、１列に打ち込まれた前記鋼管矢板１６、１７の周囲に前記橋台３５用の穴を掘り、該穴の内部から上方に向けて立ち上がる鉄筋（図示せず）を配置すると共に型枠（図示せず）で囲み、コンクリートを打設して前記鋼管矢板１６、１７の上端部を一体化すると共に、前記橋台３５を構築する。
【００６５】
一方、前記橋脚本体２５ａ、２５ｂ及び橋台３５、３５の構築と並行して、図１２に示すように、前記橋桁４０上にプレキャスト形成された複数の床版５６を搭載する。そして、前記橋桁４０上に搭載された複数の前記床版５６を、隣接する各床版５６、５６が互いに熱膨張等による伸縮が可能なように連結すると共に、各床版５６、５６を前記橋桁４０に結合する。
【００６６】
そして、図１３に示すように、前記床版５６、５６上に路面５７の舗装を行うと共に、街路灯（図示せず）の設置、防音壁や金網の設置等、所要の付帯工事を行うことにより、橋面工５５を構築する。
【００６７】
前記橋脚本体２５ａ、２５ｂの下端部から上端部に向けて巻き上げられる前記コンクリート２７の打設位置が、前記橋桁４０（即ち、主桁４２）の下端に到達したら、前記コンクリート２７を打設すると共に、前記鋼管柱２６、主桁４２、横桁４５（図６、図７参照）及び枠体４６で構成される前記コンクリート打設空間４７に図１３に示すように、コンクリート５０を打設し、仮固定されていた前記鋼管柱２６と前記橋桁４０を一体化する。
【００６８】
なお、強度上の問題がなければ、前記コンクリート５０は、前記鋼管柱２６に前記主桁ユニット４１ａ、４１ｂ、４１ｃ、４１ｄ、４１ｅ、４１ｆを搭載し、前記各主桁ユニット４１ａ、４１ｂ、４１ｃ、４１ｄ、４１ｅ、４１ｆの前記主桁４２を連結して前記橋桁４０を構築した状態で打設し、前記鋼管柱２６と前記橋桁４０を一体化するようにしてもよい。
【００６９】
また、前記鋼管柱２６に橋桁４０を搭載した後の橋脚本体２５ａ、２５ｂの構築と床版５６の取付け（橋面工５５の構築）は、何れか一方を先行する形で施工してもよいし、同時平行的に施工してもよい。特に、橋梁の施工期間を短縮する場合には、同時並行的に行うことが望ましい。
【００７０】
前記実施の形態によれば、前記橋脚本体２５ａ、２５ｂの構築と前記橋面工５５の構築とをそれぞれ同時並行的に施工することにより、前記橋脚本体２５ａ、２５ｂが完成するまでの間に前記橋面工５５の構築も完成させることができるので、図１に示すような平面交差点３の立体化のための橋梁５の工事であれば、施工期間を約４ヶ月程度に大幅に短縮することができる。また、施工期間の短縮により、橋梁工事により交通渋滞が発生する期間を短縮して、経済的な損失を大幅に軽減することができる。
【００７１】
また、前記実施の形態によれば、前記基礎部１５ａ、１５ｂ上にフーチングを構築することなく、前記基礎部１５ａ、１５ｂを構成する前記鋼管矢板１６に直接接続して前記鋼管柱２６を立上げ、該鋼管柱２６に前記コンクリート２７を巻いて前記橋脚本体２５ａ、２５ｂ、前記橋台３５、３５を構築するようにしたので、橋脚の構造を簡素化することができるだけでなく、施工期間をより一層短縮することができる。
【００７２】
なお、前記橋脚本体２５ａ、２５ｂの構築作業と並行して行う前記橋面工５５の構築作業は、例えば、橋脚本体２５ａ、２５ｂの鉄筋３２の配筋作業と型枠の取付け作業を行っている間に作業を行い、前記橋脚本体２５ａ、２５ｂにコンクリート２７を打設するとき、また、前記主桁ユニット４１ｄ（４１ａ、４１ｂ、４１ｃ、４１ｅ、４１ｆも同様）のコンクリート打設空間４７にコンクリート５０を打設するとき、及び、打設されたコンクリート２７、５０が固まるまでの間は、前記鋼管柱２６の振動を防止するために作業を中断するようにしてもよい。
【００７３】
図１４は、本発明の第２の実施の形態を示す橋梁の断面図である。
【００７４】
同図において、図３及び図１３と同じものは、同じ符号をつけて示し、説明を省略する。本実施の形態においては、基礎部６０が、前記地盤１０に掘削された穴６１内に、例えば、鉄筋籠６２を配置し、コンクリート６３を打設して構築された現場造成杭６５で構成されている。そして、前記現場造成杭６５上に前記鋼管柱２６を立設している。
【００７５】
このような構成の橋梁５であっても、前記現場造成杭６５上に前記鋼管柱２６を立設した後は、前記実施の形態と同様に、前記鋼管柱２６上に前記橋桁４０を搭載して前記鋼管柱２６の上端部を一体的に連結し、前記橋脚本体２５ａ、２５ｂの構築と、前記橋面工５５の構築を同時並行的に行うことができる。
【００７６】
図１５は、本発明の第３の実施の形態を示す橋梁の断面図である。
【００７７】
同図において、図１３と同じものは、同じ符号をつけて示し、説明を省略する。本実施の形態においては、前記基礎部６６が、前記地盤１０に打ち込まれた基礎杭６７と、該基礎杭６７上に形成されたフーチング６９で構築されている。なお、前記基礎杭６７は、前記各実施の形態に示すような鋼管矢板１６、１７（又は、鋼管杭）や現場造成杭６５で構築するほか、コンクリートパイル等を用いることもできる。要は、基礎部６６として、前記橋脚本体２５ａ、２５ｂ、前記橋桁４０及び橋面工５５を確実に支持できる構造であればよい。
【００７８】
このような構成の橋梁５であっても、前記フーチング６９上に前記鋼管柱２６を立設した後は、前記各実施の形態と同様に、前記鋼管柱２６上に前記橋桁４０を搭載して前記鋼管柱２６の上端部を一体的に連結し、前記橋脚本体２５ａ、２５ｂの構築と、前記橋面工５５の構築を同時並行的に行うことができる。
【００７９】
なお、山間部に設置する橋梁のように、橋脚本体の高さが高くなる場合には、基礎部に立上げる鋼管柱が長くなるので、基礎部に立設された鋼管柱から順次コンクリートで巻いて橋脚本体を構築しながら、順次鋼管柱を継ぎ足すことにより、鋼管柱を所要の高さまで延設して、橋脚本体の強度を確保した状態で鋼管柱上に橋桁を架設し、残りの橋脚本体の構築と橋面工の構築を並行して行うようにすることができる。
【図面の簡単な説明】
【図１】一般道の立体交差部の一例を示す平面図。
【図２】図１の橋梁部分の構成の一例を示す側面図。
【図３】図２のＥ−Ｅ断面図。
【図４】図３のＣ−Ｃ断面図。
【図５】図３のＢ−Ｂ断面図。
【図６】図３のＡ−Ａ断面図。
【図７】図６のＤ−Ｄ断面図。
【図８】図２のＦ−Ｆ断面図。
【図９】図８のＧ−Ｇ断面図。
【図１０】本発明の橋梁の施工方法における基礎部の構築と鋼管柱の立上げ工程の一例を示す工程図。
【図１１】図１１は、本発明の橋梁の施工方法における上部工の架設工程の一例を示す工程図。
【図１２】本発明の橋梁の施工方法における橋脚本体と橋面工の構築工程の一例を示す工程図。
【図１３】図１３は、本発明により構築された橋梁の一例を示す断面図。
【図１４】本発明の第２の実施の形態を示す橋梁の断面図。
【図１５】本発明の第３の実施の形態を示す橋梁の断面図。
【符号の説明】
１０…地盤
１５ａ…基礎部
１５ｂ…基礎部
１６…支持杭（鋼管矢板）
１７…支持杭（鋼管矢板）
２５ａ…橋脚本体
２５ｂ…橋脚本体
２６…鋼管柱
２７…コンクリート
４０…橋桁
５５…橋面工
５６…床版
６０…基礎部
６６…基礎部
【図１】
2005036468.tif 000003
【図２】
2005036468.tif 000004
【図３】
2005036468.tif 000005
【図４】
2005036468.tif 000006
【図５】
2005036468.tif 000007
【図６】
2005036468.tif 000008
【図７】
2005036468.tif 000009
【図８】
2005036468.tif 000010
【図９】
2005036468.tif 000011
【図１０】
2005036468.tif 000012
【図１１】
2005036468.tif 000013
【図１２】
2005036468.tif 000014
【図１３】
2005036468.tif 000015
【図１４】
2005036468.tif 000016
【図１５】
2005036468.tif 000017